(57)【要約】【課題】本発明の課題は、ＩＣカードの所持者による訪問が正当出ることを確実に判定するシステム、および、その方法を提供することである。【解決手段】訪問者識別情報と訪問先を特定する情報と訪問予定日時情報とを含む訪問予定データを用いて、訪問先を特定する情報と訪問者識別情報とを含む訪問者データを作成して、訪問者認証装置に、通知する訪問通知装置と、ＩＣカードが記憶する訪問者識別情報を読み取って、受信した訪問者データの訪問者識別情報と、を照合して、訪問者認証を行う訪問者認証装置と、がネットワークで接続されて構成される訪問管理システムである。【選択図】図１
2007310814.tif 000002
【特許請求の範囲】
【請求項１】
訪問通知装置と訪問者認証装置とがネットワークで接続されて構成される訪問管理システムであって、
前記訪問通知装置は、
訪問者識別情報と訪問先を特定する情報と訪問予定日時情報とを含む訪問予定データ、
を記憶する記憶手段と、
訪問予定データを用いて、訪問先を特定する情報と訪問者識別情報とを含む訪問者データを作成する訪問者データ作成手段と、
訪問者認証装置に、前記作成された訪問者データを通知する訪問者データ通知手段と、
を備える通知装置であって、
前記訪問者認証装置は、
訪問者データを受信する訪問者データ受信手段と、
訪問者のＩＣカードが記憶する訪問者識別情報を読み取るＩＣカード読取手段と、
訪問者識別情報と訪問者データとを照合して、訪問者認証を行う訪問者認証手段と、
訪問者認証された訪問者に許可証を発行する許可証発行手段と、
を備える認証装置である、
ことを特徴とする訪問管理システム。
【請求項２】
訪問通知装置と訪問者認証装置とがネットワークで接続されて構成される訪問管理システムであって、
前記訪問通知装置は、
訪問者識別情報と訪問先を特定する情報と訪問予定日時情報とを含む訪問予定データ、
を記憶する記憶手段と、
訪問者認証装置から訪問者データ送信要求を受け付けて、訪問予定データを用いて、訪問先を特定する情報と訪問者識別情報とを含む訪問者データを作成する訪問者データ作成手段と、
訪問者認証装置に、前記作成された訪問者データを通知する訪問者データ通知手段と、
を備える通知装置であって、
前記訪問者認証装置は、
訪問者のＩＣカードが記憶する訪問者識別情報を読み取るＩＣカード読取手段と、
訪問者データ送信要求を、訪問通知装置に発行する訪問者データ送信要求手段と、
訪問者データを受信する訪問者データ受信手段と、
訪問者識別情報と訪問者データとを照合して、訪問者認証を行う訪問者認証手段と、
訪問者認証された訪問者に許可証を発行する許可証発行手段と、
を備える認証装置である、
ことを特徴とする訪問管理システム。
【請求項３】
前記訪問通知装置は、
前記訪問者データ作成手段が、訪問予定データを用いて、訪問先を特定する情報と訪問者識別情報と照合情報とを含む訪問者データを作成する、
通知装置であって、
前記訪問者認証装置は、
照合情報の入力を受け付ける照合情報受付手段と、
前記訪問者認証手段が、訪問者識別情報と照合情報とを、訪問者データと照合して、訪問者認証を行う
認証装置である、
ことを特徴とする請求項１、または、請求項２に記載の訪問管理システム。
【請求項４】
前記訪問通知装置は、
訪問者認証結果を、受信する訪問者認証結果受信手段と、
訪問者認証結果を用いて、訪問予定データを参照して、所定の訪問先に到着したことを確認する訪問確認手段と、
を備える通知装置であって、
前記訪問者認証装置は、
前記訪問者認証手段が、訪問者識別情報と訪問者データとを照合して、訪問者認証を行って、訪問者認証結果を作成して、
訪問者認証結果を、訪問通知装置に、送信する訪問者認証結果送信手段と、
を備える認証装置である、
ことを特徴とする請求項１から、請求項３のいずれか１項に記載の訪問管理システム。
【請求項５】
前記訪問通知装置は、
前記訪問者データ作成手段が、訪問予定データを用いて、訪問先を特定する情報と訪問者識別情報と有効期間情報とを含む訪問者データを作成する
通知装置である、
ことを特徴とする請求項１から、請求項４のいずれか１項に記載の訪問管理システム。
【請求項６】
訪問者識別情報と訪問先を特定する情報と訪問予定日時情報とを含む訪問予定データ、
を用いる訪問管理方法であって、
訪問予定データを用いて、訪問先を特定する情報と訪問者識別情報とを含む訪問者データを作成する訪問者データ作成ステップと、
訪問者のＩＣカードが記憶する訪問者識別情報を読み取るＩＣカード読取ステップと、
訪問者識別情報と訪問者データとを照合して、訪問者認証を行う訪問者認証ステップと、
訪問者認証された訪問者に許可証を発行する許可証発行ステップと、
を含んだ手順でなされることを特徴とする訪問管理方法。
【請求項７】
前記訪問者データ作成ステップが、訪問予定データを用いて、訪問先を特定する情報と訪問者識別情報と照合情報とを含む訪問者データを作成して、
前記訪問者認証ステップが、訪問者識別情報と照合情報とを、訪問者データと照合して、訪問者認証を行って、
照合情報の入力を受け付ける照合情報受付ステップと、
を含んだ手順でなされることを特徴とする請求項６に記載の訪問管理方法。
【請求項８】
前記訪問者認証ステップが、訪問者識別情報と訪問者データとを照合して、訪問者認証を行って、訪問者認証結果を作成して、
訪問者認証結果を用いて、訪問予定データを参照して、所定の訪問先に到着したことを確認する訪問確認ステップと、
手順でなされることを特徴とする請求項６、または、請求項７に記載の訪問管理方法。
【請求項９】
前記訪問者データ作成ステップが、訪問予定データを用いて、訪問先を特定する情報と訪問者識別情報と有効期間情報とを含む訪問者データを作成する、
を含んだ手順でなされることを特徴とする請求項６から、請求項８までのいずれか１項に記載の訪問管理方法。
【請求項１０】
コンピュータに組込むことによって、コンピュータを請求項１から、請求項５までのいずれか１項に記載の訪問管理システムとして動作させるコンピュータプログラム。
【請求項１１】
請求項１０に記載のコンピュータプログラムを記録したコンピュータ読取り可能な記録媒体。
【発明の詳細な説明】
【技術分野】
【０００１】
本発明は、訪問者の正当性を管理するシステム、および、その方法に関するものである。
【０００２】
従来から、ＩＣカードを用いて、セキュリティ管理をされた区域に入場する訪問者の入場管理（たとえば、工場に入場する装置保守技術者、事務所に入場する自動販売機管理者、マンションメータ検針員など。）が行われている。
【背景技術】
【０００３】
たとえば、特許文献１では、ＩＣカードを用いた入室管理において、ＩＣカードの使用期限を定めて、入場者の正当性を評価して、入場許可判断をする技術が開示されている。（従来技術１）
【特許文献１】特開平１０−２８０７５４号公報（１１〜１２ページ、図６）
【発明の開示】
【発明が解決しようとする課題】
【０００４】
ところで、従来技術１では、ＩＣカードの所持者が、正当な訪問ではなくて、悪意による訪問を行っても、それを判定できないという問題点があった。さらに、ＩＣカードの所持者が、退職などで、所持資格を失効していても、それを検知できないという欠点があった。
【０００５】
本発明はこのような従来技術を考慮してなされたものであって、本発明の課題は、ＩＣカードの所持者による訪問が正当出ることを確実に判定するシステム、および、その方法を提供することである。
【課題を解決するための手段】
【０００６】
本発明は、以下のような解決手段により、前記課題を解決する。すなわち、請求項１の発明は、訪問通知装置と訪問者認証装置とがネットワークで接続されて構成される訪問管理システムであって、前記訪問通知装置は、訪問者識別情報と訪問先を特定する情報と訪問予定日時情報とを含む訪問予定データを記憶する記憶手段と、訪問予定データを用いて、訪問先を特定する情報と訪問者識別情報とを含む訪問者データを作成する訪問者データ作成手段と、訪問者認証装置に、前記作成された訪問者データを通知する訪問者データ通知手段と、を備える通知装置であって、前記訪問者認証装置は、訪問者データを受信する訪問者データ受信手段と、訪問者のＩＣカードが記憶する訪問者識別情報を読み取るＩＣカード読取手段と、訪問者識別情報と訪問者データとを照合して、訪問者認証を行う訪問者認証手段と、訪問者認証された訪問者に許可証を発行する許可証発行手段と、を備える認証装置である、ことを特徴とする訪問管理システムである。
【０００７】
ここで、ＩＣカードの所持者は、予定に基づいた正当な訪問であることや、ＩＣカードの所持者が、正当な所持者でることを、判定できる。
【０００８】
請求項２の発明は、訪問通知装置と訪問者認証装置とがネットワークで接続されて構成される訪問管理システムであって、前記訪問通知装置は、訪問者識別情報と訪問先を特定する情報と訪問予定日時情報とを含む訪問予定データを記憶する記憶手段と、訪問者認証装置から訪問者データ送信要求を受け付けて、訪問予定データを用いて、訪問先を特定する情報と訪問者識別情報とを含む訪問者データを作成する訪問者データ作成手段と、訪問者認証装置に、前記作成された訪問者データを通知する訪問者データ通知手段と、を備える通知装置であって、前記訪問者認証装置は、訪問者のＩＣカードが記憶する訪問者識別情報を読み取るＩＣカード読取手段と、訪問者データ送信要求を、訪問通知装置に発行する訪問者データ送信要求手段と、訪問者データを受信する訪問者データ受信手段と、訪問者識別情報と訪問者データとを照合して、訪問者認証を行う訪問者認証手段と、訪問者認証された訪問者に許可証を発行する許可証発行手段と、を備える認証装置である、ことを特徴とする訪問管理システムである。
【０００９】
ここで、訪問者認証装置は、ＩＣカードの所持者が訪問したときに、認証用に用いる訪問者データを請求するので、最新の情報を入手することができる。
【００１０】
請求項３の発明は、前記訪問通知装置は、前記訪問者データ作成手段が、訪問予定データを用いて、訪問先を特定する情報と訪問者識別情報と照合情報とを含む訪問者データを作成する、通知装置であって、前記訪問者認証装置は、照合情報の入力を受け付ける照合情報受付手段と、前記訪問者認証手段が、訪問者識別情報と照合情報とを、訪問者データと照合して、訪問者認証を行う認証装置である、ことを特徴とする請求項１、または、請求項２に記載の訪問管理システムである。
【００１１】
ここで、ＩＣカードの所持者に、照合情報の入力を求めるので、ＩＣカードの不正取得者（たとえば、拾得）の排除が可能となる。
【００１２】
請求項４の発明は、前記訪問通知装置は、訪問者認証結果を、受信する訪問者認証結果受信手段と、訪問者認証結果を用いて、訪問予定データを参照して、所定の訪問先に到着したことを確認する訪問確認手段と、を備える通知装置であって、前記訪問者認証装置は、前記訪問者認証手段が、訪問者識別情報と訪問者データとを照合して、訪問者認証を行って、訪問者認証結果を作成して、訪問者認証結果を、訪問通知装置に、送信する訪問者認証結果送信手段と、を備える認証装置である、ことを特徴とする請求項１から、請求項３のいずれか１項に記載の訪問管理システムである。
【００１３】
ここで、訪問通知装置は、ＩＣカードの所持者が、予定通りに訪問したことを（または、予定通りに訪問しなかったことを）確認できる。
【００１４】
請求項５の発明は、前記訪問通知装置は、前記訪問者データ作成手段が、訪問予定データを用いて、訪問先を特定する情報と訪問者識別情報と有効期間情報とを含む訪問者データを作成する
通知装置である、
ことを特徴とする請求項１から、請求項４のいずれか１項に記載の訪問管理システムである。
【００１５】
請求項６の発明は、訪問者識別情報と訪問先を特定する情報と訪問予定日時情報とを含む訪問予定データ、を用いる訪問管理方法であって、訪問予定データを用いて、訪問先を特定する情報と訪問者識別情報とを含む訪問者データを作成する訪問者データ作成ステップと、訪問者のＩＣカードが記憶する訪問者識別情報を読み取るＩＣカード読取ステップと、訪問者識別情報と訪問者データとを照合して、訪問者認証を行う訪問者認証ステップと、訪問者認証された訪問者に許可証を発行する許可証発行ステップと、を含んだ手順でなされることを特徴とする訪問管理方法である。
【００１６】
請求項７の発明は、前記訪問者データ作成ステップが、訪問予定データを用いて、訪問先を特定する情報と訪問者識別情報と照合情報とを含む訪問者データを作成して、前記訪問者認証ステップが、訪問者識別情報と照合情報とを、訪問者データと照合して、訪問者認証を行って、照合情報の入力を受け付ける照合情報受付ステップと、を含んだ手順でなされることを特徴とする請求項６に記載の訪問管理方法である。
【００１７】
請求項８の発明は、前記訪問者データ作成ステップが、訪問予定データを用いて、訪問先を特定する情報と訪問者識別情報と有効期間情報とを含む訪問者データを作成する、
手順でなされることを特徴とする請求項６、または、請求項７に記載の訪問管理方法である。
【００１８】
請求項９の発明は、前記訪問者認証ステップが、訪問者識別情報と訪問者データとを照合して、訪問者認証を行って、訪問者認証結果を作成して、訪問者認証結果を用いて、訪問予定データを参照して、所定の訪問先に到着したことを確認する訪問確認ステップと、を含んだ手順でなされることを特徴とする請求項６から、請求項８までのいずれか１項に記載の訪問管理方法である。
【００１９】
請求項１０の発明は、コンピュータに組込むことによって、コンピュータを請求項１から、請求項５までのいずれか１項に記載の訪問管理システムとして動作させるコンピュータプログラムである。
【００２０】
請求項１１の発明は、請求項１０に記載のコンピュータプログラムを記録したコンピュータ読取り可能な記録媒体である。
【発明の効果】
【００２１】
本願発明によれば、ＩＣカードの所持者の訪問が、正当であることを判定ことが可能である。また、ＩＣカードの所持者の所持資格を判定することが可能である。
【発明を実施するための最良の形態】
【００２２】
（実施例）
以下、図面等を参照しながら、本発明の実施の形態について、更に詳しく説明する。
図１は、訪問管理システム１の概要を説明する図である。訪問管理システム１は、訪問通知装置１００と訪問者認証装置３００とがネットワークで接続されて、構成される。
【００２３】
訪問通知装置１００は、訪問予定データ１９１と訪問者データ１９９とを記憶する。訪問者認証装置３００は、訪問者認証結果データ３９９を記憶する。訪問者認証装置３００は、ＩＣカード読取装置を備える。ＩＣカード７００は、訪問者識別情報７９９（訪問者ＩＤ）を記憶する。
【００２４】
訪問予定データ１９１は、訪問者識別情報と訪問先を特定する情報（たとえば、ＩＰアドレス）と訪問予定日時情報とを含むデータである。訪問者データ１９９は、訪問先を特定する情報と訪問者識別情報と照合情報と有効期間情報とを含むデータである。訪問者認証結果データ３９９は、訪問先を特定する情報と訪問者識別情報と認証日時情報とを含むデータである。
【００２５】
図２は、訪問管理システム１の大まかな処理の流れを説明する図である。訪問通知装置１００は、訪問予定データ１９１に基づいて、訪問先を特定する情報と訪問者識別情報を含む訪問者データ１９９を作成する（図２（１））。訪問通知装置１００は、訪問先の訪問者受付装置３００に、訪問者データ１９９を通知する（同（２））。
【００２６】
訪問者認証装置３００は、訪問者データ１９９を受信する（同（１１））。訪問者認証装置３００は、訪問者のＩＣカード７００が記憶する訪問者識別情報７９９を読み取る（同（１２））。訪問者認証装置３００は、訪問者識別情報７９９と訪問者データ１９９とを照合して、訪問者認証を行う（同（１３））。
【００２７】
訪問者データ１９９には、有効期間を設定して、訪問者認証に利用してもよい。訪問者データ１９９には、照合情報（＝合言葉）を併用して訪問者認証に利用してもよい。このとき、この合言葉は、訪問日別や訪問先別に、変えてもよい。
【００２８】
訪問者認証装置３００は、訪問者認証された訪問者に許可証を発行する（同（１４））。訪問者認証装置３００は、訪問者認証結果データ３９９を、訪問通知装置に、送信する（同（１５））。
【００２９】
訪問通知装置１００は、訪問者認証結果データ３９９を、受信する（同（２１））。訪問通知装置１００は、訪問者認証結果データ３９９を用いて、訪問予定データ１９１を参照して、所定の訪問先に到着したことを確認する（同（２２））。
【００３０】
このように、ＩＣカードの所持者は、予定に基づいた正当な訪問であることや、ＩＣカードの所持者が、正当な所持者でることを、判定することが可能である。つまり、訪問予定以外の訪問を排除することが可能である。
【００３１】
なお、ＩＣカードの所持者に、照合情報の入力を求めるので、ＩＣカードの不正取得者（たとえば、拾得）を排除するという効果が得られる。
【００３２】
また、訪問通知装置は、ＩＣカードの所持者が、予定通りに訪問したことを（または、予定通りに訪問しなかったことを）確認できるという利点がある。
【００３３】
図３は、訪問管理システム１の詳細な構成図である。訪問管理システム１は、訪問通知装置１００と訪問者認証装置３００とがネットワークで接続されて、構成される。
【００３４】
訪問通知装置１００は、訪問者データ作成手段１１０と訪問者データ通知手段１２０と訪問者認証結果受信手段１３０と訪問確認手段１４０と記憶手段１９０とを備える。記憶手段１９０は、訪問予定データ１９１と訪問者データ１９９とを記憶する。
【００３５】
訪問予定データ１９１は、訪問者識別情報と訪問先を特定する情報と訪問予定日時情報とを含むデータである。訪問者データ１９９訪問先を特定する情報と訪問者識別情報と照合情報と有効期間情報とを含むデータである。
【００３６】
訪問者データ作成手段１１０は、訪問予定データを用いて、訪問者データを作成する。
訪問者データ通知手段１２０は、訪問者認証装置に、前記作成された訪問者データを通知する。訪問者認証結果受信手段１３０は、訪問者認証装置３００から、訪問者認証結果を、受信する。訪問確認手段１４０は、訪問者認証結果を用いて、訪問予定データを参照して、所定の訪問先に到着したことを確認する。
【００３７】
訪問者認証装置３００は、ＩＣカード読取手段３１０と訪問者データ受信手段３２０と訪問者認証手段３３０と訪問者認証結果送信手段３４０と許可証発行手段３５０と照合情報受付手段３６０と記憶手段３９０とを備える。記憶手段３９０は、訪問者認証結果データ３９９を記憶する。
【００３８】
訪問者認証結果データ３９９は、訪問先を特定する情報と訪問者識別情報と認証日時情報とを含むデータである。
【００３９】
ＩＣカード読取手段３１０は、ＩＣカード７００が記憶する訪問者識別情報７９９を読み取る。訪問者データ受信手段３２０は、訪問通知装置１００から、訪問者データ１９９を受信する。
【００４０】
訪問者認証手段３３０は、訪問者識別情報７９９と照合情報とを、訪問者データ１９９とを照合して、訪問者認証を行い、訪問者認証結果データ３９９を作成する。
【００４１】
許可証発行手段３５０は、訪問者認証された訪問者に許可証（「開錠キー」や「ＯＫ表示」など。）を発行する。訪問者認証結果送信手段３４０は、作成された訪問者認証結果データ３９９を、訪問通知装置に、送信する。照合情報受付手段３６０は、照合情報の入力を受け付ける。
【００４２】
訪問者データ作成手段１１０と訪問者データ通知手段１２０と訪問者認証結果受信手段１３０と訪問確認手段１４０と、ＩＣカード読取手段３１０と訪問者データ受信手段３２０と訪問者認証手段３３０と訪問者認証結果送信手段３４０と許可証発行手段３５０と照合情報受付手段３６０とは、コンピュータプログラムである。訪問予定データ１９１と、訪問者データ１９９と訪問者認証結果データ３９９とは、コンピュータプログラムが可読なデータである。記憶手段１９０と記憶手段３９０とは、メモリである。
【００４３】
図４は、訪問予定データ１９１の形式を説明する図である。訪問予定データ１９１の項目は、訪問者識別情報と、  訪問先を特定する情報と、訪問予定日時情報と、から構成される。訪問者識別情報は、訪問者ＩＤである。訪問先を特定する情報は、訪問先名である。訪問予定日時情報は、日時である。
【００４４】
図５は、訪問者データ１９９の形式を説明する図である。訪問者データ１９９の項目は、訪問者識別情報と、訪問先を特定する情報と、照合情報と、有効期間情報と、から構成される。訪問者識別情報と、訪問先を特定する情報と、は、図４の訪問者識別情報と、訪問先を特定する情報と、同じである。照合情報は、合言葉である。有効期間情報は、日時である。
【００４５】
図６は、認証結果データ３９９の形式を説明する図である。認証結果データ３９９の項目は、訪問者識別情報と、訪問先を特定する情報と、認証日時と、から構成される。訪問者識別情報と、訪問先を特定する情報と、図４の訪問者識別情報と、訪問先を特定する情報と、同じである。認証日時情報は、日時である。
【００４６】
図９は、認証の手順を説明する図である。訪問者認証手段３３０は、ＩＣカード７００から読み取った訪問者識別情報「ID66759467」と訪問者データ１９９の訪問者識別情報「ID66759467」とが、一致することを判定する（図６（１））。訪問者認証手段３３０は、入力を受け付けた照合情報「IP=10.46.138.211 」と訪問者データ１９９の照合情報「IP=10.46.138.211」とが、一致することを判定する（同（２））。訪問者認証手段３３０は、ＩＣカード７００を読み取った時刻「2006.05.16.16:13」が、訪問者データ１９９の有効期間情報「2006.05.16.17:30」以内に収まっていることを判定する（同（３））。
【００４７】
訪問者認証手段３３０は、以上の認証条件をすべて満しているので、認証して、認証結果が「承認」である訪問者認証結果データ１９９を作成する（同（４））。
【００４８】
変形例について説明する。
（変形例）訪問者認証装置３００が、訪問者のＩＣカードを読み取ってから、訪問予定データ１９１の送信を要求して受信する訪問予定要求型訪問管理システム２を説明する。
【００４９】
図７は、訪問予定要求型訪問管理システム２の大まかな処理の流れを説明する。訪問者のＩＣカード７００が記憶する訪問者識別情報７９９を読み取る（図７（１）。訪問者データ送信要求を発行する（同（２)）。
【００５０】
訪問者データ送信要求を受け付けて、訪問予定データ１９１に基づいて、訪問先を特定する情報と訪問者識別情報を含む訪問者データ１９９を作成する（同（１１)）。訪問先の訪問者受付装置３００に、訪問者データ１９９を通知する（同（１２) )。
【００５１】
訪問者データ１９９を受信する（同（２１)）。訪問者識別情報７９９と訪問者データ１９９とを照合して、訪問者認証を行う（同（２２)）。なお、訪問者データ１９９には、有効期間を設定して、訪問者認証に利用してもよい。訪問者データ１９９には、照合情報（＝合言葉）を併用して訪問者認証に利用してもよい。このとき、この合言葉は、訪問日別や訪問先別に、変えてもよい。
【００５２】
訪問者認証された訪問者に許可証を発行する（同（２３）。
【００５３】
図８は、訪問予定要求型訪問管理システム２の詳細な構成図である。訪問予定要求型訪問管理システム２は、訪問通知装置１００と訪問者認証装置３００とがネットワークで接続されて、構成される。
【００５４】
訪問通知装置１００は、訪問者データ作成手段１１０と訪問者データ通知手段１２０と訪問者認証結果受信手段１３０と訪問確認手段１４０と記憶手段１９０とを備える。記憶手段１９０は、訪問予定データ１９１と訪問者データ１９９とを記憶する。
【００５５】
訪問予定データ１９１は、図３の訪問予定データ１９１と訪問者データ１９９と同じである。
【００５６】
訪問者データ作成手段１１０は、訪問者データ送信要求を受け付けて、訪問予定データ１９１に基づいて、訪問先を特定する情報と訪問者識別情報を含む訪問者データ１９９を作成する。
【００５７】
訪問者データ通知手段１２０と訪問者認証結果受信手段１３０と訪問確認手段１４０とは、図３の訪問者データ通知手段１２０と訪問者認証結果受信手段１３０と訪問確認手段１４０と同じである。
【００５８】
訪問者認証装置３００は、訪問者データ送信要求手段３２５とＩＣカード読取手段３１０と訪問者データ受信手段３２０と訪問者認証手段３３０と訪問者認証結果送信手段３４０と許可証発行手段３５０と照合情報受付手段３６０と記憶手段３９０とを備える。記憶手段３９０は、訪問者認証結果データ３９９を記憶する。
【００５９】
訪問者データ送信要求手段３２５は、訪問者データ送信要求を発行する。
【００６０】
訪問者認証結果データ３９９は、図３の訪問者認証結果データ３９９と同じである。ＩＣカード読取手段３１０と訪問者データ受信手段３２０と訪問者認証手段３３０と訪問者認証結果送信手段３４０と許可証発行手段３５０と照合情報受付手段３６０とは、図３のＩＣカード読取手段３１０と訪問者データ受信手段３２０と訪問者認証手段３３０と訪問者認証結果送信手段３４０と許可証発行手段３５０と照合情報受付手段３６０と、同じである。
【００６１】
訪問者データ送信要求手段３２５と訪問者データ作成手段１１０と訪問者データ通知手段１２０と訪問者認証結果受信手段１３０と訪問確認手段１４０と、ＩＣカード読取手段３１０と訪問者データ受信手段３２０と訪問者認証手段３３０と訪問者認証結果送信手段３４０と許可証発行手段３５０と照合情報受付手段３６０とは、コンピュータプログラムである。訪問予定データ１９１と、訪問者データ１９９と訪問者認証結果データ３９９とは、コンピュータプログラムが可読なデータである。記憶手段１９０と記憶手段３９０とは、メモリである。
【００６２】
以上詳しく説明したように、本願発明によれば、ＩＣカードの所持者の訪問が、正当であることを判定ことが可能となった。また、ＩＣカードの所持者の所持資格を判定することが可能となった。
【図面の簡単な説明】
【００６３】
【図１】訪問管理システムの全体構成
【図２】訪問管理システム１の大まかな処理の流れ
【図３】訪問管理システム１の詳細な構成図
【図４】訪問予定データ１９１の形式
【図５】訪問者データ１９９の形式
【図６】認証結果データ３９９の形式
【図７】（変形例）訪問予定要求型訪問管理システム２の大まかな処理の流れ
【図８】（変形例）訪問予定要求型訪問管理システム２の詳細な構成図
【図９】認証の手順
【符号の説明】
【００６４】
１  訪問管理システム
２  訪問予定要求型訪問管理システム
１００  訪問通知装置
１１０  訪問者データ作成手段
１２０  訪問者データ通知手段
１３０  訪問者認証結果受信手段
１４０  訪問確認手段
１９０  記憶手段
１９１  訪問予定データ
１９９  訪問者データ
３００  訪問者認証装置
３１０  ＩＣカード読取手段
３２０  訪問者データ受信手段
３２５  訪問者データ送信要求手段
３３０  訪問者認証手段
３４０  訪問者認証結果送信手段
３５０  許可証発行手段
３６０  照合情報受付手段
３９０  記憶手段
３９９  訪問者認証結果データ
７００  ＩＣカード
７９９  訪問者識別情報
【図１】
2007310814.tif 000003
【図２】
2007310814.tif 000004
【図３】
2007310814.tif 000005
【図４】
2007310814.tif 000006
【図５】
2007310814.tif 000007
【図６】
2007310814.tif 000008
【図７】
2007310814.tif 000009
【図８】
2007310814.tif 000010
【図９】
2007310814.tif 000011